(57)【要約】【課題】毎日実施する必要がない点検項目の点検を実施すべき時期が到来しているか否かをユーザが把握することができる。【解決手段】車両の点検を支援するためのプログラムであって、コンピュータを、点検結果を取得する結果取得部２５５、複数の点検項目のそれぞれに関連付けて、点検の実施が不要な期間を取得する期間取得部２５３、及び結果取得部２５５が点検結果を取得してから点検結果に対応する点検項目に関連付けられた期間が経過しているか否かに基づいて決定した態様で作成した、点検項目を実行するための画面を表示部２３に表示させる表示制御部２５４として機能させる。【選択図】図４
2020201225.tif 000002
【特許請求の範囲】
【請求項１】
車両の点検を支援するためのプログラムであって、
コンピュータを、
点検結果を取得する結果取得部、
複数の点検項目のそれぞれに関連付けて、点検の実施が不要な期間を取得する期間取得部、及び
前記結果取得部が前記点検結果を取得してから当該点検結果に対応する前記点検項目に関連付けられた前記期間が経過しているか否かに基づいて決定した態様で作成した、前記点検項目を実行するための画面を表示部に表示させる表示制御部
として機能させるための点検支援プログラム。
【請求項２】
前記表示制御部は、前記結果取得部が前記点検結果を取得してから当該点検結果に対応する前記点検項目に関連付けられた前記期間が経過していない場合に、前記点検項目に対応する点検の実施を省略する操作を受け付けるための操作キーを前記画面において表示させる、
請求項１に記載の点検支援プログラム。
【請求項３】
前記コンピュータを、
前記結果取得部が前記点検結果を取得してから当該点検結果に対応する前記点検項目に関連付けられた前記期間が経過した場合に、当該点検項目に関する情報をユーザに通知する通知部
としてさらに機能させるための請求項１又は２に記載の点検支援プログラム。
【請求項４】
前記表示制御部は、前記結果取得部が前記点検結果を取得してから当該点検結果に対応する前記点検項目に関連付けられた前記期間が経過した場合に、前記画面において当該点検項目を表示させ、前記結果取得部が前記点検結果を取得してから当該点検結果に対応する前記点検項目に関連付けられた前記期間が経過していない場合に、前記画面において当該点検項目を表示させない、
請求項１又は３に記載の点検支援プログラム。
【請求項５】
車両の点検を支援するための点検支援システムであって、
前記点検支援システムは、点検支援装置と、管理装置とを備え、
前記点検支援装置は、
点検項目を実行するための画面を表示する表示部と、
を備え、
前記管理装置は、
点検結果を取得する結果取得部と、
複数の点検項目のそれぞれに関連付けて、点検の実施が不要な期間を取得する期間取得部と、
前記結果取得部が前記点検結果を取得してから当該点検結果に対応する前記点検項目に関連付けられた前記期間が経過しているか否かに基づいて決定した態様で作成した、前記点検項目を実行するための画面を前記表示部に表示させる表示制御部と、を備える、
点検支援システム。
【発明の詳細な説明】
【技術分野】
【０００１】
本発明は、車両の点検を支援する点検支援プログラム及び点検支援システムに関する。
【背景技術】
【０００２】
トラック等の商用車のユーザは、始業前点検を毎日行う必要がある。始業前点検の点検結果を入力するための入力画面を表示する車両点検支援装置が知られている（例えば、特許文献１）。
【先行技術文献】
【特許文献】
【０００３】
【特許文献１】特開２００７−１１８８８７号公報
【発明の概要】
【発明が解決しようとする課題】
【０００４】
始業前点検には、毎日行う必要がある点検項目に加え、毎日行う必要がない点検項目も含まれる。しかしながら、特許文献１に記載の車両点検支援装置では、このような点検項目において点検を実施すべき時期が到来しているか否かをユーザが把握できないという問題があった。
【０００５】
そこで、本発明はこの点に鑑みてなされたものであり、毎日実施する必要がない点検項目において点検を実施すべき時期が到来しているか否かをユーザが把握することができる点検支援プログラム及び点検支援システムを提供することを目的とする。
【課題を解決するための手段】
【０００６】
本発明の第１の態様の点検支援プログラムは、車両の点検を支援するためのプログラムであって、コンピュータを、点検結果を取得する結果取得部、複数の点検項目のそれぞれに関連付けて、点検の実施が不要な期間を取得する期間取得部、及び前記結果取得部が前記点検結果を取得してから当該点検結果に対応する前記点検項目に関連付けられた前記期間が経過しているか否かに基づいて決定した態様で作成した、前記点検項目を実行するための画面を表示部に表示させる表示制御部として機能させる。
【０００７】
前記表示制御部は、前記結果取得部が前記点検結果を取得してから当該点検結果に対応する前記点検項目に関連付けられた前記期間が経過していない場合に、前記点検項目に対応する点検の実施を省略する操作を受け付けるための操作キーを前記画面において表示させてもよい。
【０００８】
前記コンピュータを、前記結果取得部が前記点検結果を取得してから当該点検結果に対応する前記点検項目に関連付けられた前記期間が経過した場合に、当該点検項目に関する情報をユーザに通知する通知部としてさらに機能させてもよい。
【０００９】
前記表示制御部は、前記結果取得部が前記点検結果を取得してから当該点検結果に対応する前記点検項目に関連付けられた前記期間が経過した場合に、前記画面において当該点検項目を表示させ、前記結果取得部が前記点検結果を取得してから当該点検結果に対応する前記点検項目に関連付けられた前記期間が経過していない場合に、前記画面において当該点検項目を表示させなくてもよい。
【００１０】
本発明の第２の態様の点検支援システムは、車両の点検を支援するための点検支援システムであって、前記点検支援システムは、点検支援装置と、管理装置とを備え、前記点検支援装置は、点検項目を実行するための画面を表示する表示部と、を備え、前記管理装置は、点検結果を取得する結果取得部と、複数の点検項目のそれぞれに関連付けて、点検の実施が不要な期間を取得する期間取得部と、前記結果取得部が前記点検結果を取得してから当該点検結果に対応する前記点検項目に関連付けられた前記期間が経過しているか否かに基づいて決定した態様で作成した、前記点検項目を実行するための画面を前記表示部に表示させる表示制御部と、を備える。
【発明の効果】
【００１１】
本発明によれば、毎日実施する必要がない点検項目の点検を実施すべき時期が到来しているか否かをユーザが把握することができるという効果を奏する。
【図面の簡単な説明】
【００１２】
【図１】実施形態の点検支援システムの構成を示す図である。
【図２】点検アプリが起動された直後に点検支援装置が表示する画面を示す図である。
【図３】車両の構成を示す図である。
【図４】点検支援装置の構成を示す図である。
【図５】表示制御部が作成する実行画面の一例を示す図である。
【図６】表示制御部が表示する実行画面の一例を示す図である。
【図７】表示制御部が点検項目を実行画面に表示するか否かを切り替える場合の例を示す図である。
【図８】点検支援装置による点検を実行するための実行画面の表示の処理手順を示すフローチャートである。
【図９】管理装置の構成を示す図である。
【発明を実施するための形態】
【００１３】
［点検支援システムの概要］
図１は、本実施形態の点検支援システムＳの構成を示す図である。点検支援システムＳは、車両１の点検を支援するための点検支援装置２を備える。車両１は、商用車であり、例えばトラックである。点検支援装置２は、車両１を点検する事業者が管理する装置であり、例えばスマートフォン又はタブレット等の情報端末である。
【００１４】
点検支援装置２は、点検用アプリケーションソフトウェア（以下、「点検アプリ」という。）が起動されることにより、車両１の始業前点検における点検項目及び点検方法をディスプレイに表示する。点検支援装置２は、点検結果を入力するユーザＵの操作を受け付ける。
【００１５】
また、点検支援装置２は、車両１に搭載された車載無線機を介して、無線通信により車両１と通信する。例えば、点検支援装置２は、Ｗｉ−Ｆｉ（登録商標）又はブルートゥース（登録商標）により車両１と通信する。点検支援装置２は、例えば、無線通信により、車両１の設備の状態を変化させるための指示情報を車両１へ送信する。
【００１６】
図２は、点検アプリが起動された直後に点検支援装置２が表示する画面を示す図である。図２に示すように、点検支援装置２は、まず、始業前点検を行う車両１を選択するための画面を表示する。図２の例では、車両登録情報「品川ＸＸＸあＹＹＹ」の車両を選択するための操作キーと、車両登録情報「品川ＸＸＸいＺＺＺ」の車両を選択するための操作キーとが表示されている。車両登録情報は、車両を識別するための情報である。車両登録情報は、点検支援システムＳの管理者により予め登録されている。
【００１７】
図２の画面において車両１を選択するための操作が行われると、選択された車両１に必要な点検項目が表示される。ユーザＵは、表示された点検項目に対応する点検を実施して、点検結果を点検支援装置２に入力する。点検支援装置２が点検項目を表示する態様の詳細については後述する。
【００１８】
［車両の構成］
図３は、車両１の構成を示す図である。車両１は、車載無線機１１、各種ランプ１２、各種センサ１３及びＥＣＵ（Electronic Control Unit）１４を備える。ＥＣＵ１４は、記憶部１４１及び制御部１４２を有する。
【００１９】
車載無線機１１は、無線通信により点検支援装置２と通信するための装置である。車載無線機１１は、制御部１４２から通知された情報を点検支援装置２に送信する。また、車載無線機１１は、点検支援装置２から受信した情報を制御部１４２に通知する。車載無線機１１は、制御部１４２から通知された情報を、点検支援装置２以外の装置（例えば、サーバ）に送信してもよい。
【００２０】
各種ランプ１２は、例えば、ブレーキランプ、バックライト等である。各種センサ１３は、例えば、ブレーキペダルの踏み込みを検出するためのセンサ、ギヤがリヤに入ったことを検出するセンサ等である。
【００２１】
ＥＣＵ１４は、コンピュータによって車両１の各部を電子制御するための制御装置である。記憶部１４１は、例えば、ＲＯＭ（Read Only Memory）及びＲＡＭ（Random Access Memory）等により構成される。記憶部１４１は、制御部１４２を機能させるための各種プログラムや各種データを記憶する。
【００２２】
制御部１４２は、記憶部１４１に記憶されたプログラムを実行することにより、車両１の各部を制御する。例えば、制御部１４２は、車載無線機１１を介して点検支援装置２から受信した情報に基づいて各種ランプ１２を点灯させたり消灯させたりする。また、制御部１４２は、各種センサ１３が検出した検出結果に基づいて作成した情報を点検支援装置２に車載無線機１１を介して送信する。
【００２３】
［点検支援装置２の構成］
図４は、点検支援装置２の構成を示す図である。点検支援装置２は、通信部２１、タッチパネル２２、表示部２３、記憶部２４及び制御部２５を備える。
【００２４】
通信部２１は、車両１と通信するための通信モジュールである。タッチパネル２２は、表示部２３へのタッチ操作を検出する。表示部２３は、画像を表示するためのディスプレイである。記憶部２４は、例えば、ＲＯＭ及びＲＡＭ等により構成される。
【００２５】
制御部２５は、例えば、ＣＰＵ（Central Processing Unit）である。制御部２５は、記憶部２４に記憶されたプログラムを実行することにより、操作受付部２５１、登録情報取得部２５２、期間取得部２５３、表示制御部２５４及び結果取得部２５５として機能する。
【００２６】
操作受付部２５１は、タッチパネル２２に入力された操作を受け付ける。登録情報取得部２５２は、車両１に対応する車両登録情報を取得する。例えば、登録情報取得部２５２は、操作受付部２５１が受け付けた車両登録情報を取得する。
【００２７】
結果取得部２５５は、点検結果を取得する。結果取得部２５５は、操作受付部２５１が点検結果を受け付けた場合に、この点検結果を取得する。結果取得部２５５は、取得した点検結果を、点検を実施した日時を示す時間情報と関連付けて履歴情報として記憶部２４に格納する。
【００２８】
点検項目には、毎日実施する必要があるものと、毎日実施する必要がないものとがある。以降の記述では、毎日実施する必要がない点検項目について一度点検を行った後、次の点検までに設けてもよい最大の間隔を不実施期間と呼ぶ。不実施期間には、対応する点検項目の点検の実施を要しない。不実施期間は、点検項目ごとに設定されている。期間取得部２５３は、点検項目と不実施期間とを関連付けた記憶部２４内のテーブルを参照することにより、複数の点検項目のそれぞれに関連付けて、不実施期間を取得する。
【００２９】
表示制御部２５４は、結果取得部２５５が点検結果を取得してからこの点検結果に対応する点検項目に関連付けられた不実施期間が経過しているか否かを判定する。表示制御部２５４は、この判定結果に基づいて、点検項目を実行するための実行画面の態様を決定し、決定した態様で作成した実行画面を表示部２３に表示させる。
【００３０】
図５（ａ）及び（ｂ）は、表示制御部２５４が作成する実行画面の一例を示す図である。図５（ａ）及び（ｂ）には、複数の点検項目が表示されている。表示されている複数の点検項目のうち、点検項目「タイヤの溝の深さを確認」は、毎日実施する必要がない点検項目である。点検項目「タイヤの亀裂・損傷・異常摩耗を確認」及び点検項目「タイヤの空気圧を確認」は、毎日実施する必要がある点検項目である。表示制御部２５４は、点検を要する点検項目を表示することにより、点検漏れが生じることを抑制することができる。
【００３１】
「ＯＫ」キーは、点検において異常が発見されなかったことを入力する操作を受け付ける操作キーである。「ＮＧ」キーは、点検において異常が発見されたことを入力する操作を受け付ける操作キーである。「点検方法」は、点検の具体的な方法や異常の判定の基準を表示するための操作キーである。
【００３２】
［スキップキーの表示］
表示制御部２５４は、結果取得部２５５が点検結果を取得してからこの点検結果に対応する点検項目に関連付けられた不実施期間が経過していない場合に、所定の操作キーを実行画面において表示させる。所定の操作キーは、例えば、点検項目に対応する点検の実施を省略する操作を受け付けるための「スキップ」キーである。
【００３３】
図５（ａ）の例では、結果取得部２５５が点検項目「タイヤの溝の深さを確認」の前回の点検結果を取得してから不実施期間が経過していない。この場合に、表示制御部２５４は、「スキップ」キーを実行画面において表示させる。ユーザＵは、「スキップ」キーを選択した場合、「ＯＫ」キー又は「ＮＧ」キーを選択することなく、残りの点検項目の実行画面を閲覧することができる。つまり、ユーザＵは、スキップキーに対応する点検項目において点検の実施を省略することができる。
【００３４】
一方、表示制御部２５４は、結果取得部２５５が点検結果を取得してからこの点検結果に対応する点検項目に関連付けられた不実施期間が経過している場合に、所定の操作キーを実行画面において表示させない。図５（ｂ）の例では、結果取得部２５５が点検項目「タイヤの溝の深さを確認」の前回の点検結果を取得してから不実施期間が経過している。この場合に、表示制御部２５４は、「スキップ」キーを実行画面において表示させない。
【００３５】
表示制御部２５４は、「スキップ」キーが実行画面において表示されていない状態では、点検項目「タイヤの溝の深さを確認」について「ＯＫ」キー又は「ＮＧ」キーがユーザＵにより選択されるまで、残りの点検項目の実行画面を表示させない。つまり、ユーザＵは、スキップキーが表示されていない点検項目の点検の実施を省略することはできない。
【００３６】
［不実施期間が経過したことの通知］
また、表示制御部２５４は、結果取得部２５５が点検結果を取得してからこの点検結果に対応する点検項目に関連付けられた不実施期間が経過した場合に、この点検項目に関する情報をユーザＵに通知する通知部として機能してもよい。点検項目に関する情報は、例えば、この点検項目の前回の実施から経過した日数を示す情報である。一方、表示制御部２５４は、結果取得部２５５が点検結果を取得してからこの点検結果に対応する点検項目に関連付けられた不実施期間が経過していない場合に、この点検項目に関する情報をユーザＵに通知しない。
【００３７】
図６は、表示制御部２５４が表示する実行画面の一例を示す図である。図６の状態では、結果取得部２５５が点検項目「オイル量点検」の点検結果を取得してからこの点検項目に関連付けられた不実施期間が経過している。この場合に、表示制御部２５４は、図６に示すように、この点検項目の点検の前回の実施から経過した期間（７日）をユーザＵに通知する画面を表示する。このような構成により、表示制御部２５４は、不実施期間が経過した点検項目をユーザＵに通知することができる。
【００３８】
［点検項目の非表示］
また、表示制御部２５４の動作は、不実施期間が経過していない場合に「スキップ」キーを表示する例に限定されない。表示制御部２５４は、対応する不実施期間が経過した点検項目のみを実行画面において表示してもよい。
【００３９】
表示制御部２５４は、結果取得部２５５が点検結果を取得してからこの点検結果に対応する点検項目に関連付けられた不実施期間が経過しているか否かを判定する。表示制御部２５４は、不実施期間が経過していないと判定した場合に、実行画面においてこの点検項目を表示させなくてもよい。一方、表示制御部２５４は、不実施期間が経過していると判定した場合に、実行画面においてこの点検項目を表示させる。
【００４０】
図７（ａ）及び（ｂ）は、表示制御部２５４が点検項目を実行画面に表示するか否かを切り替える場合の例を示す図である。図７（ａ）に示す状態では、結果取得部２５５が点検項目「タイヤの溝の深さを確認」の点検結果を取得してからこの点検項目に関連付けられた不実施期間が経過していない。この場合に、表示制御部２５４は、点検項目「タイヤの溝の深さを確認」を表示しない。
【００４１】
図７（ｂ）に示す状態では、結果取得部２５５が点検項目「タイヤの溝の深さを確認」の点検結果を取得してからこの点検項目に関連付けられた不実施期間が経過している。この場合に、表示制御部２５４は、図７（ｂ）に示すように、点検項目「タイヤの溝の深さを確認」を表示する。
【００４２】
［実行画面の表示の処理手順］
図８は、点検支援装置２による点検を実行するための実行画面の表示の処理手順を示すフローチャートである。この処理手順は、例えば、実行画面を表示させるユーザＵの指示を操作受付部２５１が受け付けたときに開始する。
【００４３】
まず、期間取得部２５３は、点検項目と、点検の実施が不要な不実施期間とを関連付けたテーブルを記憶部２４から読み出す。期間取得部２５３は、読み出したテーブルを参照することにより、実行画面に表示される点検項目に関連付けられた不実施期間を取得する（Ｓ１０１）。表示制御部２５４は、表示される点検項目の前回の点検結果を結果取得部２５５が取得してからこの点検項目に関連付けられた不実施期間が経過しているか否かを判定する（Ｓ１０２）。
【００４４】
表示制御部２５４は、点検項目に関連付けられた不実施期間が経過している場合に（Ｓ１０２のＹＥＳ）、この点検項目に対応するスキップキーを実行画面において表示させないように実行画面の態様を決定する（Ｓ１０３）。
【００４５】
表示制御部２５４は、実行画面に表示する他の点検項目があるか否かを判定する（Ｓ１０４）。表示制御部２５４は、実行画面に表示する他の点検項目がない場合に（Ｓ１０４のＮＯ）、実行画面を表示部２３に表示させ、処理を終了する。
【００４６】
表示制御部２５４は、Ｓ１０２の判定において点検項目に関連付けられた不実施期間が経過していない場合に（Ｓ１０２のＮＯ）、この点検項目に対応するスキップキーを実行画面において表示させるように実行画面の態様を決定し（Ｓ１０６）、Ｓ１０４の判定に進む。表示制御部２５４は、Ｓ１０４の判定において実行画面に表示する他の点検項目がある場合に（Ｓ１０４のＹＥＳ）、Ｓ１０２の判定に戻る。
【００４７】
［本発明による効果］
本実施形態によれば、表示制御部２５４は、点検項目に関連付けられた不実施期間が経過しているか否かに基づいて、実行画面の態様を決定する。このような構成により、毎日実施する必要がない点検項目において点検を実施すべき時期が到来しているか否かをユーザが把握することができる。
【００４８】
［管理装置］
点検支援システムＳは、無線通信回線を介して点検支援装置２に接続された管理装置３をさらに備えてもよい。点検支援装置２は、点検対象の車両１の車両登録情報と、操作受付部２５１が受け付けた点検結果とを管理装置３へ送信する通信制御部（不図示）を備えてもよい。
【００４９】
図９は、管理装置３の構成を示す図である。管理装置３は、通信部３１、記憶部３２及び制御部３３を備える。通信部３１は、点検支援装置２と通信するためのインターフェースである。記憶部３２は、例えば、ＲＯＭ及びＲＡＭ等により構成される。記憶部３２は、制御部３３を機能させるための各種プログラムや各種データを記憶する。
【００５０】
制御部３３は、例えば、ＣＰＵである。制御部３３は、記憶部３２に記憶されたプログラムを実行することにより、結果取得部３３１、通信制御部３３２、期間取得部３３３及び表示制御部３３４として機能する。結果取得部３３１は、通信部３１を介して、点検支援装置２から点検結果と、この点検結果に対応する点検を実施した日時を示す時間情報とを取得する。結果取得部３３１は、取得した点検結果と時間情報とを関連付けて履歴情報として記憶部３２に格納する。
【００５１】
通信制御部３３２は、通信部３１を介して、車両登録情報を受信する。期間取得部３３３は、受信した車両登録情報に基づいて、点検支援装置２の実行画面に表示される複数の点検項目を特定する。期間取得部３３３は、点検項目と不実施期間とを関連付けたテーブルを記憶部３２から読み出し、テーブルを参照して、表示される複数の点検項目のそれぞれに関連付けて、不実施期間を取得する。
【００５２】
表示制御部３３４は、結果取得部３３１が点検結果を取得してからこの点検結果に対応する点検項目に関連付けられた不実施期間が経過しているか否かを判定する。表示制御部３３４は、この判定結果に基づいて、点検項目を実行するための実行画面の態様を決定する。表示制御部３３４は、決定した態様で作成した実行画面を点検支援装置２へ送信し、点検支援装置２の表示部２３に表示することを指示する。
【００５３】
このような構成により、管理装置３は、複数の車両１の点検結果を一元管理することができる。このため、複数のユーザＵが複数の車両１を使用する事業所等においてユーザＵ間で点検結果を共有することができる。
【００５４】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【００５５】
１  車両
２  点検支援装置
３  管理装置
１１  車載無線機
１２  各種ランプ
１３  各種センサ
１４  ＥＣＵ
２１  通信部
２２  タッチパネル
２３  表示部
２４  記憶部
２５  制御部
３１  通信部
３２  記憶部
３３  制御部
１４１  記憶部
１４２  制御部
２５１  操作受付部
２５２  登録情報取得部
２５３  期間取得部
２５４  表示制御部
２５５  結果取得部
３３１  結果取得部
３３２  通信制御部
３３３  期間取得部
３３４  表示制御部
【図１】
2020201225.tif 000003
【図２】
2020201225.tif 000004
【図３】
2020201225.tif 000005
【図４】
2020201225.tif 000006
【図５】
2020201225.tif 000007
【図６】
2020201225.tif 000008
【図７】
2020201225.tif 000009
【図８】
2020201225.tif 000010
【図９】
2020201225.tif 000011